(57)【特許請求の範囲】
【請求項１】
水栓の取付基体に貫通の一対の水栓取付穴を設けるとともに、（イ）該取付基体の表面に位置させられる部材であって水栓本体を固定可能な取付部材と、（ロ）前記水栓取付穴の並び方向に配置されて各水栓取付穴のそれぞれの裏側に位置させられ、該取付部材とともに該取付基体を挟み付ける部材であって、前記並び方向の幅寸法が該水栓取付穴の該並び方向の寸法よりも小さく且つ該並び方向と直角方向の寸法が該水栓取付穴の該直角方向の寸法よりも大きい、長手形状且つリング状を成した、前記水栓取付穴に対応した一対のホルダと、（ハ）該取付部材から延び出して該水栓取付穴のそれぞれを挿通したうえ該ホルダに結合され、それら取付部材と各ホルダとを結合状態に保持する、それらホルダに対応した数の雄ねじ締結具と、を備えた水栓取付装置を前記取付基体に装着して前記取付部材に水栓本体を固定したことを特徴とする水栓の取付構造。
【請求項２】
請求項１に記載の水栓の取付構造において、前記水栓が混合水栓であって、前記水栓本体が該混合水栓の水栓本体であることを特徴とする水栓の取付構造。
【請求項３】
請求項１，２の何れかに記載の水栓の取付構造において、前記取付部材がプレート状を成していることを特徴とする水栓の取付構造。
【請求項４】
請求項１〜３の何れかに記載の水栓の取付構造において、前記取付部材には水栓本体の引掛部が設けられており、該水栓本体が該取付部材に掛止状態に固定されていることを特徴とする水栓の取付構造。
【請求項５】
請求項１〜４の何れかに記載の水栓の取付構造において、前記取付部材には前記水栓取付穴毎に且つ該水栓取付穴に対応する位置において配管接続用の貫通の開口が形成されていることを特徴とする水栓の取付構造。
【請求項６】
請求項１〜５の何れかに記載の水栓の取付構造において、前記水栓取付穴が円形を成していることを特徴とする水栓の取付構造。
【請求項７】
請求項１〜６の何れかに記載の水栓の取付構造において、前記リング状をなすホルダの内側の開口が配管接続用の開口を成していることを特徴とする水栓の取付構造。
【請求項８】
請求項１〜７の何れかに記載の水栓の取付構造において、前記取付部材からは各水栓取付穴毎に一対ずつの前記雄ねじ締結具が延び出していて、各一対の雄ねじ締結具がそれぞれ前記ホルダの前記並び方向の幅方向各端部に結合されていることを特徴とする水栓の取付構造。
【発明の詳細な説明】
【０００１】
【発明の属する技術分野】
この発明は水栓の取付構造に関し、詳しくは取付施工性の良好な水栓の取付構造に関する。
【０００２】
【従来の技術及び発明が解決しようとする課題】
従来、壁への水栓の取付構造として、即ち垂直面を取付面とする水栓の取付構造として、壁に設けた貫通口を通じて壁裏から配管の端部を突き出させ、その配管端部に対して水，湯の通路構成部材を兼ねたクランク脚を接続固定し、そしてそのクランク脚に水栓本体を接合することによって、水栓本体を壁に取り付けるようになした取付構造が一般に用いられている。
【０００３】
この取付構造の場合、室内側、即ち取付基体としての壁の表面側から水栓を取付基体としての壁に取付施工ができるものの、クランク脚の存在によって水栓本体が室内側に大きく突き出した状態となる問題がある。
【０００４】
従ってこの取付構造を浴室における洗い場の水栓の取付構造として適用したとき、水栓が洗い場側に大きく突き出した状態となって見栄えが悪くなるとともに、水栓の突出しによって洗い場空間が狭くなるといった問題を生ずる。
【０００５】
一方カウンターへの水栓の取付構造として、即ち水平面を取付面とする水栓の取付構造として、図９に示すような取付構造が用いられている。
同図において２００は水栓（この例ではシングルレバー式混合水栓）で、水栓本体２０２とこれから延び出す吐水管２０４及び水栓本体２０２上部の操作レバー２０８とを有している。
２１０は取付基体としてのカウンターで、水栓取付穴２１２が設けられている。
【０００６】
この図に示す取付構造の場合、水栓本体２０２から延び出した雄ねじ管２１４を、水栓取付穴２１２をカウンター２１０の上面（表面）側から下面（裏面）側に挿通し、そしてカウンター２１０の裏側において雄ねじ管２１４に固定ナット２１６をねじ込み、その固定ナット２１６の締付力に基づいて水栓本体２０２を取付基体２１０の上面、即ち水平な取付面２１０Ａに取り付ける。
【０００７】
しかしながらこの取付構造の場合、カウンター２１０の裏側において水栓本体２０２の固定作業をしなければならず、水栓取付けの際の作業性が悪いといった問題がある。
【０００８】
【課題を解決するための手段】
本発明の水栓の取付構造はこのような課題を解決するために案出されたものである。
而して請求項１の水栓の取付構造は、水栓の取付基体に貫通の一対の水栓取付穴を設けるとともに、（イ）該取付基体の表面に位置させられる部材であって水栓本体を固定可能な取付部材と、（ロ）前記水栓取付穴の並び方向に配置されて各水栓取付穴のそれぞれの裏側に位置させられ、該取付部材とともに該取付基体を挟み付ける部材であって、前記並び方向の幅寸法が該水栓取付穴の該並び方向の寸法よりも小さく且つ該並び方向と直角方向の寸法が該水栓取付穴の該直角方向の寸法よりも大きい、長手形状且つリング状を成した、前記水栓取付穴に対応した一対のホルダと、（ハ）該取付部材から延び出して該水栓取付穴のそれぞれを挿通したうえ該ホルダに結合され、それら取付部材と各ホルダとを結合状態に保持する、それらホルダに対応した数の雄ねじ締結具と、を備えた水栓取付装置を前記取付基体に装着して前記取付部材に水栓本体を固定したことを特徴とする。
【０００９】
請求項２の水栓の取付構造は、請求項１に記載の水栓の取付構造において、前記水栓が混合水栓であって、前記水栓本体が該混合水栓の水栓本体であることを特徴とする。
【００１０】
請求項３の水栓の取付構造は、請求項１，２の何れかに記載の水栓の取付構造において、前記取付部材がプレート状を成していることを特徴とする。
【００１１】
請求項４の水栓の取付構造は、請求項１〜３の何れかに記載の水栓の取付構造において、前記取付部材には水栓本体の引掛部が設けられており、該水栓本体が該取付部材に掛止状態に固定されていることを特徴とする。
【００１２】
請求項５の水栓の取付構造は、請求項１〜４の何れかに記載の水栓の取付構造において、前記取付部材には前記水栓取付穴毎に且つ該水栓取付穴に対応する位置において配管接続用の貫通の開口が形成されていることを特徴とする。
【００１３】
請求項６の水栓の取付構造は、請求項１〜５の何れかに記載の水栓の取付構造において、前記水栓取付穴が円形を成していることを特徴とする。
【００１４】
請求項７の水栓の取付構造は、請求項１〜６の何れかに記載の水栓の取付構造において、前記リング状をなすホルダの内側の開口が配管接続用の開口を成していることを特徴とする。
【００１５】
請求項８の水栓の取付構造は、請求項１〜７の何れかに記載の水栓の取付構造において、前記取付部材からは各水栓取付穴毎に一対ずつの前記雄ねじ締結具が延び出していて、各一対の雄ねじ締結具がそれぞれ前記ホルダの前記並び方向の幅方向各端部に結合されていることを特徴とする。
【００１６】
【作用及び発明の効果】
上記のように請求項１の水栓の取付構造は、壁等取付基体の表面に位置させられ、水栓本体を固定可能な取付部材と、取付基体の裏側に位置し取付部材とともに取付基体を挟み付ける長手形状且つリング状のホルダと、それら取付部材及びホルダを水栓取付穴において互いに連結状態に保持する雄ねじ締結具とを備えた水栓取付装置を取付基体に装着して、その水栓取付装置の取付部材に対し水栓本体を固定するようになしたもので、この取付構造の場合、ホルダを水栓取付穴の表面側から裏面側に挿通したうえ、雄ねじ締結具を締め込むことで水栓取付装置を取付基体に装着でき、そしてその水栓取付装置を介して水栓本体を取付基体に取付施工することができる。
【００１７】
即ち取付基体の表面側から水栓を取付基体に取付施工することができ、従って作業性良く水栓を取付施工することができる。
【００１８】
この請求項１の取付構造は、垂直面を取付面とする水栓の取付構造としても、或いはまた水平面を取付面とする水栓取付構造としても、更には傾斜面その他種々形態の面を取付面とする水栓取付構造としても適用できる利点がある。
【００１９】
この請求項１の水栓の取付構造では、水栓取付穴及びホルダをそれぞれ一対ずつ設け、各水栓取付穴において各ホルダと取付部材とを締め付けるようにしていることから、取付部材が長さの長いものである場合にも２箇所においてホルダと取付部材により取付基体を挟み付けることができ、従って水栓取付装置を取付基体に強く固定することができ、ひいては水栓本体を強固に取付基体に取付状態とすることができる。
【００２０】
この請求項１の水栓の取付構造では、また、一対のホルダのそれぞれの形状を、水栓取付穴の並び方向即ちホルダ自身の並び方向の幅寸法が、水栓取付穴の同並び方向の寸法よりも小で、且つその並び方向と直角方向の寸法が水栓取付穴の同直角方向の寸法よりも大の長手形状となしている点を特徴としており、このようにしておくことによって、一対のホルダを容易に一対の水栓取付穴に対しその表側から裏側に挿通することができる。
【００２１】
この請求項１の取付構造は、特に混合水栓の取付構造として好適である（請求項２）。
混合水栓においては、水，湯の配管と水栓本体とを取付基体を貫通して接続することが必要であるが、この請求項１の取付構造の場合、一対の水栓取付穴の一方において水用の配管を、また他方において湯用の配管をそれぞれ接続することができ、良好に配管接続を行うことができる。
【００２２】
上記水栓取付装置における取付部材はこれをプレート状と成しておくのが好都合である（請求項３）。
取付部材をプレート状としておくことで、水栓本体を取付基体に取り付ける際、これを取付基体に実質上当接した状態に取付施工することができ、従って取付基体からの水栓の突出を可及的に抑えることができ、室内空間を広く確保することができる。
【００２３】
請求項４の取付構造は、上記取付部材に水栓本体の引掛部を設け、その引掛部に水栓本体を掛止状態に固定するようになしたもので、この取付構造によれば、その取付部材に対して水栓本体を容易に位置決めした状態で固定することができる。
【００２４】
請求項５の取付構造は、水栓取付穴毎に且つ対応する位置において取付部材に配管接続用の貫通の開口を形成したもので、この接続構造によれば、配管を水栓本体に接続する際の接続を容易に行うことができる。
【００２５】
請求項１〜５の取付構造において、上記水栓は水栓本体と化粧カバーとを具備したものとすることができ、この場合、化粧カバーの装着によって取付部材を取付基体の表面側において隠蔽状態とすることができ、水栓ないしその周りの美観を良好となすことができる。
【００２６】
上記請求項１〜５の取付構造において、上記水栓取付穴は円形となしておくことができる（請求項６）。
【００２７】
更に請求項１〜６の取付構造において、各リング状をなすホルダの内側の開口は配管接続用の開口と成しておくことができる（請求項７）。
このようにホルダの内側の開口を配管接続用の開口と成しておくことで、水用及び湯用の各配管の水栓本体への接続を容易化することができる。
【００２８】
請求項１〜７の取付構造において、取付部材から各水栓取付穴毎に一対ずつの雄ねじ締結具を延び出させて、それぞれをホルダの並び方向の幅方向各端部に結合状態としておくことができる（請求項８）。
【００２９】
この取付構造では、１つの水栓取付穴において２本（一対）の雄ねじ締結具を挿通し、それらによってホルダと取付部材とを締結固定するようにしていることから、その雄ねじ締結具による締付作業の際に、ホルダが取付基体の裏側で雄ねじ締結具と共回りするのを防止でき、雄ねじ締結具の締付作業を簡単に行うことができる。
【００３０】
尚雄ねじ締結具は、取付基体裏側の後端部をホルダに設けた雌ねじ孔に螺合しておき、取付基体の表面側から雄ねじ締結具を回転操作することでこれを締め付けるようになすこともできるし、或いはまた雄ねじ締結具の先端部にナットを螺合し、そのナットを回転操作することで雄ねじ締結具を締付操作するようになすこともできる。
【００３１】
この請求項８の取付構造では、ホルダと取付部材とを連結する一対の雄ねじ締結具が、ホルダの幅方向各端部に結合されていることから、それら雄ねじ締結具によりホルダと取付部材とを結合した状態において、容易にホルダを水栓取付穴の表面側から裏面側に挿通作業することができる。
【００３２】
【実施例】
次に本発明の実施例を図面に基づいて詳しく説明する。
図１において、１０は本例の水栓（混合水栓）で、水側弁部，湯側弁部，湯水混合部を内蔵する金属製の水栓本体１４（図２参照）及び水栓本体１４を被覆する上側の化粧カバー１６と下側の化粧カバー１８とを有している。
【００３３】
図１において２０は吐水口，２２はエルボ２４を介して水栓本体に接続されたシャワーホース，２６は混合水の温度を調節する温調ハンドル（温度調節ハンドル），２８は吐水口２０からの吐水を行うための流量調整機能を備えた吐水口ハンドルであり、３０はシャワー側から吐水を行う流量調整機能を備えたシャワーハンドルである。
この水栓１０は、取付基体としての壁１２に後に詳述する取付構造にて取り付けられている。
【００３４】
図２及び図３はその取付構造を示したものである。
これらの図において３２は水栓取付装置であって、水栓１０はこの水栓取付装置３２を介して、壁１２に設けられた一対の水栓取付穴３４において壁１２に取り付けられている。
【００３５】
ここで水栓取付穴３４は、図４及び図５に示しているように正面形状（平面視形状）が円形状を成しており、かかる形状の一対の水栓取付穴３４が水平方向に一定距離離隔して壁１２に設けられている。
【００３６】
水栓取付装置３２は、壁１２の内面（表面）に位置させられる取付プレート（取付部材）と、壁１２の裏側、詳しくは各水栓取付穴３４の裏側に位置させられて取付プレート３６とともに壁１２を表裏両側から挟み付ける一対のホルダ３８と、取付プレート３６から延び出し、後端部がホルダ３８の雌ねじ孔４０に螺合された複数個（この例では４個）のボルト（雄ねじ締結具）４２とを有している。
【００３７】
各ホルダ３８は、図４及び図５に示しているように上下方向を長手方向とする略長円形状且つリング形状を成しており、それぞれが水，湯の配管接続用の貫通の開口４４を有している。
【００３８】
ここで各ホルダ３８は、図５に示しているように左右方向、つまり幅方向の外径寸法Ｗが円形の水栓取付穴３４の直径Ｄよりも小さくされており、また幅方向と直角方向即ち上下の長手方向の外径寸法Ｌが水栓取付穴３４の直径Ｄよりも大きくされている。
ホルダ３８の上記雌ねじ孔４０は、各ホルダ３８の幅方向各端部に形成されている。
前記ボルト４２は、これら雌ねじ孔４０に対応する位置において取付プレート３６から延び出し、そして図２に示す取付状態で水栓取付穴３４を挿通して壁１２の裏側の後端部が、各ホルダ３８の一対ずつの雌ねじ孔４０に螺合されている。
即ち一対の水栓取付穴３４毎に各一対のボルト４２がこれを挿通し、各ホルダ３８と取付プレート（本例では金属製）３６とを連結している。
【００３９】
尚取付プレート３６は、水栓１０の左右方向寸法に対応した長さの長手形状を成している。
そして水栓取付穴３４及びホルダ３８に対応する位置において、一対の配管接続用の貫通の開口４６を有している。
【００４０】
これら一対の開口４６は、その中心が水栓取付穴３４及びホルダ３８における開口４４の中心と一致させられている。
そしてこれら一対の開口４６のそれぞれの幅方向縁部から、前記一対ずつのボルト４２がホルダ３８に向かって延び出している。
【００４１】
この取付プレート３６の前面下部にはＬ字状の固定片４８が、また上部にはフック状の引掛部５０が一体に形成されている。
ここで固定片４８には雌ねじ孔５２が形成されている。
【００４２】
前記水栓本体１４は、その後面上部の下向きＬ字状の掛止片５３がその引掛部５０に掛止され、そして後面下部が固定片４８に固定されることによって、取付プレート３６に、即ち水栓取付装置３２に取り付けられている。
【００４３】
ここで固定片４８への水栓本体１４下部の固定は、水栓本体１４下部の固定孔５４を挿通した雄ねじ部材５６を固定片４８の雌ねじ孔５２にねじ込むことによって行われている。
【００４４】
上記構成を有する水栓取付装置３２は、次のようにして壁１２の内面側から簡単に壁１２に装着することができる。
即ち、図６（Ｉ）に示しているように取付プレート３６と一対のホルダ３８とを合計４本のボルト４２で連結状態としておき、そして（II）に示しているように全体を若干前後方向に傾けた状態として、一対のホルダ３８のそれぞれを対応する一対の水栓取付穴３４に対し壁１２の内面(裏面)側から裏面側に挿通する。
【００４５】
その後図７（III）に示しているように水栓取付装置３２の姿勢を元通り、即ち取付プレート３６及びホルダ３８が垂直向きとなる姿勢に戻す。
【００４６】
このとき各ホルダ３８は、図５に明らかに示しているように上下の長手方向の各端部が水栓取付穴３４の半径方向外側に位置した状態となる。
そこで壁１２の内面側から各ボルト４２を回転操作して締め込む。これにより取付プレート３６と各ホルダ３８とが互いに接近し、最終的に壁１２を内外両側から強く締め付けた状態となって、ここに水栓取付装置３２が壁１２に装着された状態となる。
図８はこのときの状態を表している。
【００４７】
さてこのようにして水栓取付装置３２を壁１２に装着したら、パッキン５８を介して化粧プレート６０を取付プレート３６に被せ、しかる後水栓本体１４を取付プレート３６に対し引掛部５０及び固定片４８において固定する。
具体的には、上記のように水栓本体１４の掛止片５３を引掛部５０に掛止し、そして水栓本体１４の下部を雄ねじ部材５６にて固定片４８に締結固定する。
【００４８】
尚雄ねじ部材５６を固定片４８に締結固定する際、下側の化粧カバー１８の貫通孔６１を通じて雄ねじ部材５６のねじ込みを行う。
【００４９】
尚、水栓本体１４には水栓取付穴３４の位置において水，湯の配管接続部６２が後方に突出する状態で設けられている一方、化粧プレート６０には対応する円筒部６４が設けられており、その配管接続部６２が円筒部６４を挿通し、水栓取付穴３４より部分的に裏側に突出している。
そしてその配管接続部６２に対して水，湯の配管としてのチューブ６８が差込接続され、水栓本体１４内の通路７４に連通させられている。
【００５０】
ここで配管接続部６２に挿入されたチューブ６８は、爪７０によって抜け防止され、またシール部材７２によって配管接続部６２に対し水密にシールされている。
一方上記円筒部６４は、図２（Ｂ）に示しているように配管接続部６２の基端部に設けられたボス部６６の外周面にシール部材を介して水密に嵌合している。
【００５１】
本例の水栓１０の取付構造の場合、水栓取付装置３２を上記のようにして壁１２に装着し、しかる後壁１２の裏側から水栓取付穴３４を通じて壁１２の内面側に突出させたチューブ６８の端部を、水栓本体１４の配管接続部６２に接続したうえで、水栓本体１４を水栓取付装置３２の取付プレート３２に固定し、その上で化粧カバー１６，１８を装着することで簡単に水栓１０を壁１２に取付施工することができる。
【００５２】
このように本例の取付構造の場合、ホルダ３８を水栓取付穴３４の表面側から裏面側に挿通し、そしてボルト４２を締め込むことで水栓取付装置３２を壁１２に装着することができ、そしてその水栓取付装置３２に対して水栓本体１４を固定することで、かかる水栓本体１４を壁１２に取付状態とすることができる。
【００５３】
しかもその水栓本体１４の水栓取付装置３２への固定作業も、壁１２の内面側から且つ壁１２に向かいながら作業を行うことができ、容易に水栓１０を壁１２に作業性良く取り付けることができる。
【００５４】
また本例の取付構造では、一つの水栓取付穴３４において２本のボルト４２によりホルダ３８と取付プレート３６とを締め付けるようにしていることから、ボルト４２のねじ込操作の際にホルダ３８が壁１２の裏側で共回りするのを防止でき、ボルト４２の締込作業も容易に行うことができる。
【００５５】
また各水栓取付穴３４において、一対のボルト４２は水栓取付穴３４よりも小寸法のホルダ３８の幅方向各端部に螺合されているため、各ボルト４２によりホルダ３８と取付プレート３６とを連結した状態で各ホルダ３８を容易に水栓取付穴３４に挿通作業することができる。
【００５６】
本例の取付構造では、互いに離隔して設けた一対の水栓取付穴３４において、対応する一対のホルダ３８と取付プレート３６とをボルト４２で締結していることから、左右方向に長い取付プレート３６を強い力で壁１２に固定することができるとともに、各ホルダ３８及び取付プレート３６には水栓取付穴３４に対応する位置においてそれぞれ配管接続用の開口４４，４６が設けられているため、それらの開口４４，４６を通じて壁１２の裏側のチューブ６８と水栓本体１４の対応する各配管接続口とを容易に接続することができる。
【００５７】
また壁１２の内面側に位置する取付プレート３６は厚みの薄い板状のものであるため、かかる取付プレート３６を介して水栓本体１４を壁１２に取り付けた場合にも実質的に水栓１０を壁１２に当接した状態とすることができ、従って水栓１０の壁１２からの突出を可及的に小さく抑えることができ、室内空間を広く確保することができる。
【００５８】
更に本例の取付構造の場合、取付プレート３６に引掛部５０を設けて、その引掛部５０に水栓本体１４を掛止状態に固定するようになしていることから、水栓本体１４を取付プレート３６に固定するに際して容易に位置決めし且つ固定することができる。
【００５９】
また本例の水栓１０は化粧カバー１６，１８を有していて、それらにより水栓本体１４を覆うようになしていることから、水栓本体１４と取付プレート３６との締結固定部を化粧カバー１６，１８にて隠蔽でき、水栓取付部を煩雑感のないすっきりとしたものとすることができ、水栓ないしその周りの美観を良好とすることができる。
【００６０】
以上本発明の実施例を詳述したがこれはあくまで一例示である。
例えば本発明においては、場合によって取付プレート３６の側にナットを設けておき、そのナットの回転操作によりボルト４２を締め込むようになすこともできる。
【００６１】
また上記実施例では水栓を壁に取り付ける場合について述べたが、本発明はカウンター上面への水栓の取付けに際して、或いはカウンターの前板への水栓の取付けに際して、その他各種の取付基体に対する水栓の取付けに際して適用することが可能である等、本発明はその主旨を逸脱しない範囲において種々変更を加えた形態で構成可能である。
【図面の簡単な説明】
【図１】  本発明の一実施例である水栓取付構造に従って水栓を壁に取り付けた状態を示す図である。
【図２】  同実施例の水栓取付構造を示す図である。
【図３】  同実施例の水栓取付構造を各部材に分解して示す図である。
【図４】  図３における水栓取付装置を壁への装着前の状態で示す図である。
【図５】  同実施例における水栓取付穴及びホルダの形状を示す図である。
【図６】  同実施例における水栓の取付手順の一部工程を示す図である。
【図７】  同実施例の水栓取付手順の図６に続く工程を示す図である。
【図８】  図６及び図７の工程に従って水栓取付装置を取り付けた状態の斜視図である。
【図９】  従来の水栓取付構造の例を示す図である。
【符号の説明】
１０  水栓
１２  壁(取付基体)
１４  水栓本体
１６，１８  化粧カバー
３２  水栓取付装置
３４  水栓取付穴
３６  取付プレート(取付部材)
３８  ホルダ
４０  雌ねじ孔
４２  ボルト
４４，４６  開口
５０  引掛部
【図１】
0003887110.tif 000002
【図２】
0003887110.tif 000003
【図３】
0003887110.tif 000004
【図４】
0003887110.tif 000005
【図５】
0003887110.tif 000006
【図６】
0003887110.tif 000007
【図７】
0003887110.tif 000008
【図８】
0003887110.tif 000009
【図９】
0003887110.tif 000010